(57)【特許請求の範囲】
【請求項１】
熱可塑性合成樹脂フィルムまたはシートによって袋状に形成された輸液バッグであって、
輸液バッグをその水平方向を基準にして二ツ折りにした際に、折曲部分の両側隅部となる位置を非融着部として残してこれより内方を角ばらない曲線外形となるようシールして両側端のシール部分を形成してあることを特徴とする輸液バッグ。
【請求項２】
熱可塑性樹脂フィルムまたはシートによって袋状に形成された輸液バッグであって、
輸液バッグは薬剤収納室の途中を水平方向に形成した弱シール部によって複数室に区画してあり、弱シール部の水平方向を基準にして折曲した際に、折曲部分の両側端部となる位置を非融着部として残してこれより内方を角ばらない曲線外形となるようシールして両側端のシール部分を強シール部として形成してあることを特徴とする輸液バッグ。
【請求項３】
両側端の強シール部のうち、弱シール部に対する接続部を弧状に膨出した形状にシールしてあることを特徴とする請求項２記載の輸液バッグ。
【発明の詳細な説明】
【０００１】
【発明の属する技術分野】
本発明は輸液バッグに関し、詳しくは輸液バッグを収納する外袋に孔をあけたり、破袋したりすることのない輸液バッグに関する。
【０００２】
【従来の技術】
従来より輸液バッグは、周縁部が熱シールされてあり、特に両側端は略同幅で上下方向にわたってシールされていた。そのため輸液バッグを水平方向を基準にして二ツ折りした際に、折曲部分の両側端部が角ばっていてしかもシールされて硬直した部分となるので、輸液バッグを二ツ折りにして合成樹脂フィルムによる外袋に密封収納セットした状態においては、前記二ツ折り折曲部分の角ばった両側端部が外袋に当たって外袋に孔をあけたり外袋周囲のシール部分を剥離して破袋したりすることが発生し、外袋による密封収納を阻害していた。
【０００３】
【発明が解決しようとする課題】
前記したように従来の輸液バッグでは輸液バッグを密封収納した外袋に孔をあけたり破袋する問題点があり、非常に取扱いに注意を要するものであった。そのため、本発明では輸液バッグの両側端シール部分に起因する外袋の開孔および破袋を防止できる輸液バッグを提供することを目的として発明したものである。
【０００４】
【課題を解決するための手段】
前記目的を達成するための本発明による輸液バッグについては、請求項１に記載したように、熱可塑性合成樹脂フィルムまたはシートによって袋状に形成された輸液バッグであって、輸液バッグをその水平方向を基準にして二ツ折りにした際に、折曲部分の両側隅部となる位置を非融着部として残してこれより内方を角ばらない曲線外形となるようシールして両側端のシール部分を形成してあることを特徴としている。
【０００５】
この構成によれば、輸液バッグをその水平方向を基準にして二ツ折りにした際に、折曲部分の両側隅部となる位置を非融着部として残しているので、この非融着部は二ツ折りにした際の両側隅部にシールされていない柔軟なフィルムまたはシート自体が存し、しかもこの非融着部より内方のシール部は、角ばらない曲線外形に形成してあるので、非融着部が外袋に当触したり折れ込んだりしても輸液バッグによる外袋への当触を柔らげることになり、外袋の開孔や破袋は確実に防止される。
【０００６】
また、複数の薬剤収納室を具有する輸液バッグにおいては、請求項２に記載したように、熱可塑性樹脂フィルムまたはシートによって袋状に形成された輸液バッグであって、輸液バッグは薬剤収納室の途中を水平方向に形成した弱シール部によって複数室に区画してあり、弱シール部の水平方向を基準にして折曲した際に、折曲部分の両側端部となる位置を非融着部として残してこれより内方を角ばらない曲線外形となるようシールして両側端のシール部分を強シール部として形成してあることを特徴とする輸液バッグに構成されており、この場合の輸液バッグは水平方向に形成した弱シール部を基準にして折曲した際に、折曲部分の両側隅部となる位置の非融着部にて外袋への当触を柔らげ、しかも非融着部の内方の角ばらない曲線外形のシール部分にて外袋への当触を柔らげて外袋の開孔や破袋の防止を果せる点は前記請求項１記載の場合と同様である。
【０００７】
さらに請求項２記載の輸液バッグについて、請求項３記載のように両側端の強シール部のうち、弱シール部に対する接続部を弧状に膨出した形状にシールしてあることを特徴として構成した場合、弱シール部を剥離して薬剤収納室どうしを連通した場合に、弱シール部付近の強シール部に破袋現象やピンホール現象を発生させないよう増強された形状となるもので、弱シール部を剥離して連通させた場合での周辺部の補強を果し、非常に好都合なものである。
【０００８】
【発明の実施の形態】
次いで、本発明の実施形態について添付図面を参照しながら以下に説明する。図１は、本発明の輸液バッグの正面図を示しており、１は輸液バッグの全体を示しており、熱可塑性樹脂フィルムまたはシートにて形成されている。輸液バッグ１は二枚の重ね合わせれたフィルムまたはシートを両側端部１１，１１′と、上側端部１２および下側端部１３の部分で強シール部として一体にシールされているものである。図における輸液バッグ１はその水平方向Ｘ−Ｘ方向を基準にして二ツ折りにした際に、折曲部分の両側端部となる位置を非融着部１４，１４としてそのまま残しており、非熱融着部１４，１４より内方を角ばらない曲線外形Ｒ，Ｒとなるようにシールして両側端１１，１１′のシール部分を形成してあるものである。
【０００９】
上記輸液バッグ１としては、図１のごとく全体が１室による薬剤収納部１５としたもののほか、図２以下に示すように薬剤収納室を複数室例えば２室の薬材収納室１５，１６が形成されるよう区画用の弱シール部１７によって区画されたものでもよい。
このような実施形態の場合には弱シール部１７の水平方向Ｘ−Ｘを基準にして二ツ折りに折曲した際に（図３参照）、折曲部分の両側隅部となる位置を非熱融着部１４、１４として残してこれより内方を角ばらない曲線外形Ｒ，Ｒとなるようシールして両側端１１，１１′のシール部分を強シール部として形成しているものである。
【００１０】
上記のような輸液バッグ１を合成樹脂フィルムにて形成された外袋２０内に二ツ折りにして密封収納するもので、折曲部分の両側隅部となる位置を非融着部１４，１４として残しているので、この非融着部１４，１４は二ツ折りにした際の両側隅部にシールされていない柔軟なフィルムまたはシート自体が存し、しかもこの非融着部１４，１４より内方のシール部は、角ばらない曲線外形Ｒ，Ｒに形成してあるので、非融着部１４が外袋２０に当触したり折れ込んだりしても輸液バッグによる外袋への当触を柔らげることになり、外袋の開孔や破袋は確実に防止される。
【００１１】
なお、薬剤収納室１５，１６の境界となる弱シール部１７としては、フィルムまたはシートどうしの一体融着の度合を弱くシールするほか、実施上フィルム間またはシート間にシールを弱める為のテープを挟んでシールすることもある。
さらに実施上、両側端１１，１１′の強シール部のうち、弱シール部１７に対する接続部１８を図４のように弧上に膨出した形状にシールして実施する場合もあり、この場合、弱シール部１７付近の強シール部に破袋現象やピンホール現象を発生させないようにして弱シール部１７を剥離させて薬剤収納室どうしを連通した際の周辺部の補強を果たす上で非常に役立つものである。
【００１２】
実施上、輸液バッグを構成する熱可塑性合成樹脂フィルムまたはシートとしては、ポリオレフィン系樹脂の単層体のほか、複層体特に多層体によるものが好ましい。
【００１３】
【発明の効果】
本発明の輸液バッグによれば、輸液バッグを水平方向を基準にして二ツ折りに折曲した状態で、外袋内に密封収納しても、折曲部分の両側隅部となる位置を非熱融着部として硬直しない柔軟なフィルムまたはシートのまま残しているので、外袋との当触を柔らげ、外袋に孔をあけたり破ったりするおそれはなくなる。しかも、非熱融着部より内方を角ばらない曲線外形となるようシールしているので、非熱融着部がめくれ込んだりした場合にも外袋との当触を柔らげ、外袋の開孔や破袋防止を果たす上で好都合となる。
【図面の簡単な説明】
【図１】薬剤収納室が１室の場合の正面図である。
【図２】薬剤収納室が２室の場合の正面図である。
【図３】二ツ折りに折曲して外袋内に収納した状態の正面図である。
【図４】変更実施例の正面図である。
【符号の説明】
１      輸液バッグ
１１，１１′    両側端部
１４，１４      非融着部
Ｒ，Ｒ      本発明の輸液曲線外形によるシール部分
１７      弱シール部
【図１】
0003806490.tif 000002
【図２】
0003806490.tif 000003
【図３】
0003806490.tif 000004
【図４】
0003806490.tif 000005